(57)【要約】【課題】  補助放熱機能を具えた照明装置の提供。【解決手段】  ケースとケース内に組み付けられた照明モジュールを具え、該ケースは密閉空間を画定し、且つその一端面は透光面とされる。該照明モジュールは回路板と該回路板に設置される複数の発光装置を具え、該回路板の外周部分が該ケースの内壁面に設置され、放熱効果が良好で組立が容易な効果を達成する。【選択図】        図３
0003111112.tif 000002
【実用新案登録請求の範囲】
【請求項１】
密閉空間を画定し、その一端面が透光面とされたケースと、
該ケース内に設置され並びに外周部分に該ケースの内壁面に設置される回路板と、該回路板に設置された複数の発光装置とを具えた照明モジュールと、
を具えたことを特徴とする、補助放熱機能を具えた照明装置。
【請求項２】
請求項１記載の補助放熱機能を具えた照明装置において、ケースが第１端を具えた本体と、該本体の第１端を被覆するカバーを具え、該第１端の端面が開放端面とされ、該回路板が該本体と該カバーの接続部分に設置されたことを特徴とする、補助放熱機能を具えた照明装置。
【請求項３】
請求項２記載の補助放熱機能を具えた照明装置において、本体の第１端の外壁面に第１ネジ部が設けられ、カバーにあって該本体に隣接する端部の内壁面に該第１ネジ部に対応する第２ネジ部が設けられ、該回路板のサイズが該本体の内径より大きく且つ該本体の外径以下とされ、該本体の第１端の端面に係止されることを特徴とする、補助放熱機能を具えた照明装置。
【請求項４】
請求項３記載の補助放熱機能を具えた照明装置において、本体の第１端の端面に第１干渉部品が設けられ、回路板に該第１干渉部品に対応する第２干渉部品が設けられ、第１、第２干渉部品により回路板が本体の第１端の端面に位置決めされることを特徴とする、補助放熱機能を具えた照明装置。
【請求項５】
請求項４記載の補助放熱機能を具えた照明装置において、第１干渉部品が位置決めロッドとされて第２干渉部品が切欠きとされたことを特徴とする、補助放熱機能を具えた照明装置。
【請求項６】
請求項２記載の補助放熱機能を具えた照明装置において、本体の第１端の内壁面に外から内に第３ネジ部と凸部が順に設けられ、カバーにあって該本体に隣接する端部の外壁面に第３ネジ部と組み合わされる第４ネジ部が設けられ、回路板が該凸縁に係止されることを特徴とする、補助放熱機能を具えた照明装置。
【請求項７】
請求項２記載の補助放熱機能を具えた照明装置において、ケース中に更に撮影モジュールが設置されたことを特徴とする、補助放熱機能を具えた照明装置。
【請求項８】
請求項７記載の補助放熱機能を具えた照明装置において、撮影モジュールを本体内に固定するための固定片を具えたことを特徴とする、補助放熱機能を具えた照明装置。
【請求項９】
請求項８記載の補助放熱機能を具えた照明装置において、撮影モジュールが回路板とこの回路板の中央位置に設置されたレンズを具え、固定片が撮影モジュールの回路板の本体へのネジ止めに供されることを特徴とする、補助放熱機能を具えた照明装置。
【請求項１０】
請求項９記載の補助放熱機能を具えた照明装置において、固定片がアルミ押し型管を裁断してなり、且つ固定片の長さがレンズの長さに合わせられることを特徴とする、補助放熱機能を具えた照明装置。
【請求項１１】
請求項１記載の補助放熱機能を具えた照明装置において、発光装置が発光ダイオードとされたことを特徴とする、補助放熱機能を具えた照明装置。
【請求項１２】
請求項１記載の補助放熱機能を具えた照明装置において、照明モジュールの回路板の発光装置が設置される表面に発光装置と接触しないように第１金属膜が設けられたことを特徴とする、補助放熱機能を具えた照明装置。
【請求項１３】
請求項１２記載の補助放熱機能を具えた照明装置において、照明モジュールの回路板の第１金属膜の上に発光装置と接触しないように第２金属膜が設けられたことを特徴とする、補助放熱機能を具えた照明装置。
【請求項１４】
請求項１記載の補助放熱機能を具えた照明装置において、ケース中に位置するファンが設けられたことを特徴とする、補助放熱機能を具えた照明装置。
【請求項１５】
請求項２記載の補助放熱機能を具えた照明装置において、本体の第１端の端面に回路板を係止する係止溝が設けられたことを特徴とする、補助放熱機能を具えた照明装置。
【請求項１６】
請求項２記載の補助放熱機能を具えた照明装置において、回路板がカバーに当接することを特徴とする、補助放熱機能を具えた照明装置。
【請求項１７】
請求項２記載の補助放熱機能を具えた照明装置において、回路板が本体に当接することを特徴とする、補助放熱機能を具えた照明装置。
【考案の詳細な説明】
【技術分野】
【０００１】
本考案は一種の照明装置に係り、特に、放熱効果が良好で組立が容易である補助放熱機能を具えた照明装置に関する。
【背景技術】
【０００２】
図１、２は周知の撮影と照明機能を具えた照明装置１である。この照明装置１は本体１１１とカバー１１２で構成されたケース１１、照明モジュール１２、撮影モジュール１３及び固定片１４を具えている。照明モジュール１２は回路板１２１及び複数の発光ダイオード１２２を具えている。撮影モジュール１３は回路板１３１とレンズ１３２を具え、レンズ１３２は回路板１３１の中央に設置され且つ照明モジュール１２の回路板１２１を貫通する（図２）。図２に示されるように、組立時には、照明モジュール１２の回路板１２１は固定片１４の別の表面の四つのネジ柱１４１にネジ止めされ、固定片１４は本体１１１の内壁面にネジ止めされ、最後にカバー１１２がネジ山により本体１１１に螺合される。こうして、撮影現場の光線が不足する時、照明モジュール１２の作業により不足する光線強度を補充し、撮影モジュール１３が夜間或いは暗い場所でも順調に撮影できるものとされる。
【０００３】
前述の照明装置１は一般には室外の場所にも取り付けられるため、防水のために、ケース１１には密閉された防水空間が形成される。ただしケース１１内部は密閉空間とされて空気が対流しないため、放熱効果が不良となる。照明装置１が作業する時、これらの発光ダイオード１２２が作業時に大量の熱を発生するほか、その他の電子部品、例えば駆動トランジスタ、限流抵抗等も大量の熱を発生しうる。これらの熱は発光ダイオード１２２或いは電子部品のピン部分よりその回路板１２１に伝えられ、ケース１１内が密閉空間とされることと回路板１２１がガラス繊維とされて熱伝導性が不良であることに制限され、熱が回路板１２１より散逸しにくく、一部が二つの銅柱１４１を通して固定片１４に伝えられるだけであり、放熱効率が悪くなり、照明モジュール１２作業時に高温を発生する。照明モジュール１２作業時の高温は発光ダイオード１２２の寿命を短縮させるのみならず、時には短時間内に焼損させ、また撮影モジュール１３の寿命にも影響を与える。更に、周知の照明装置１は放熱効率が悪いため、組み付け可能な発光ダイオード１２２の数量も制限され、例えば１２〜１８個しか組み付けられず、照明モジュール１２の発光量も制限され、撮影モジュール１３の暗視効果が不良となり、撮影画像が不鮮明となる。このほか、照明モジュール１２はネジで固定片４に固定する必要があり、組立上、材料、手間がかかる。
【考案の開示】
【考案が解決しようとする課題】
【０００４】
本考案の目的は、放熱効果が良好な、補助放熱機能を具えた照明装置を提供することにある。
【０００５】
本考案の別の目的は、組立が容易で補助放熱機能を具えた照明装置を提供することにある。
【０００６】
ゆえに、本考案の補助放熱機能を具えた照明装置は、ケースと照明モジュールを包含する。そのうち、該ケースは密閉空間を画定し、且つその一端面が透光面とされ、該照明モジュールは該ケース内に設置され、並びに外周部分が該ケース内壁面に設置された回路板と、該回路板に設置された複数の発光装置を具えている。
【課題を解決するための手段】
【０００７】
請求項１の考案は、密閉空間を画定し、その一端面が透光面とされたケースと、
該ケース内に設置され並びに外周部分に該ケースの内壁面に設置される回路板と、該回路板に設置された複数の発光装置とを具えた照明モジュールと、
を具えたことを特徴とする、補助放熱機能を具えた照明装置としている。
請求項２の考案は、請求項１記載の補助放熱機能を具えた照明装置において、ケースが第１端を具えた本体と、該本体の第１端を被覆するカバーを具え、該第１端の端面が開放端面とされ、該回路板が該本体と該カバーの接続部分に設置されたことを特徴とする、補助放熱機能を具えた照明装置としている。
請求項３の考案は、請求項２記載の補助放熱機能を具えた照明装置において、本体の第１端の外壁面に第１ネジ部が設けられ、カバーにあって該本体に隣接する端部の内壁面に該第１ネジ部に対応する第２ネジ部が設けられ、該回路板のサイズが該本体の内径より大きく且つ該本体の外径以下とされ、該本体の第１端の端面に係止されることを特徴とする、補助放熱機能を具えた照明装置としている。
請求項４の考案は、請求項３記載の補助放熱機能を具えた照明装置において、本体の第１端の端面に第１干渉部品が設けられ、回路板に該第１干渉部品に対応する第２干渉部品が設けられ、第１、第２干渉部品により回路板が本体の第１端の端面に位置決めされることを特徴とする、補助放熱機能を具えた照明装置としている。
請求項５の考案は、請求項４記載の補助放熱機能を具えた照明装置において、第１干渉部品が位置決めロッドとされて第２干渉部品が切欠きとされたことを特徴とする、補助放熱機能を具えた照明装置としている。
請求項６の考案は、請求項２記載の補助放熱機能を具えた照明装置において、本体の第１端の内壁面に外から内に第３ネジ部と凸部が順に設けられ、カバーにあって該本体に隣接する端部の外壁面に第３ネジ部と組み合わされる第４ネジ部が設けられ、回路板が該凸縁に係止されることを特徴とする、補助放熱機能を具えた照明装置としている。
請求項７の考案は、請求項２記載の補助放熱機能を具えた照明装置において、ケース中に更に撮影モジュールが設置されたことを特徴とする、補助放熱機能を具えた照明装置としている。
請求項８の考案は、請求項７記載の補助放熱機能を具えた照明装置において、撮影モジュールを本体内に固定するための固定片を具えたことを特徴とする、補助放熱機能を具えた照明装置としている。
請求項９の考案は、請求項８記載の補助放熱機能を具えた照明装置において、撮影モジュールが回路板とこの回路板の中央位置に設置されたレンズを具え、固定片が撮影モジュールの回路板の本体へのネジ止めに供されることを特徴とする、補助放熱機能を具えた照明装置としている。
請求項１０の考案は、請求項９記載の補助放熱機能を具えた照明装置において、固定片がアルミ押し型管を裁断してなり、且つ固定片の長さがレンズの長さに合わせられることを特徴とする、補助放熱機能を具えた照明装置としている。
請求項１１の考案は、請求項１記載の補助放熱機能を具えた照明装置において、発光装置が発光ダイオードとされたことを特徴とする、補助放熱機能を具えた照明装置としている。
請求項１２の考案は、請求項１記載の補助放熱機能を具えた照明装置において、照明モジュールの回路板の発光装置が設置される表面に発光装置と接触しないように第１金属膜が設けられたことを特徴とする、補助放熱機能を具えた照明装置としている。
請求項１３の考案は、請求項１２記載の補助放熱機能を具えた照明装置において、照明モジュールの回路板の第１金属膜の上に発光装置と接触しないように第２金属膜が設けられたことを特徴とする、補助放熱機能を具えた照明装置としている。
請求項１４の考案は、請求項１記載の補助放熱機能を具えた照明装置において、ケース中に位置するファンが設けられたことを特徴とする、補助放熱機能を具えた照明装置としている。
請求項１５の考案は、請求項２記載の補助放熱機能を具えた照明装置において、本体の第１端の端面に回路板を係止する係止溝が設けられたことを特徴とする、補助放熱機能を具えた照明装置としている。
請求項１６の考案は、請求項２記載の補助放熱機能を具えた照明装置において、回路板がカバーに当接することを特徴とする、補助放熱機能を具えた照明装置としている。
請求項１７の考案は、請求項２記載の補助放熱機能を具えた照明装置において、回路板が本体に当接することを特徴とする、補助放熱機能を具えた照明装置としている。
【考案の効果】
【０００８】
本考案の補助放熱機能を具えた照明装置は、照明モジュールの回路板がケース内に嵌め込まれたことで、組立を容易とし、ケース表面積により放熱効率を高める効果を達成している。
【考案を実施するための最良の形態】
【０００９】
本実施例の補助放熱機能を具えた照明装置は撮影と照明機能を具えた照明設備を例として説明されるが、この技術に習熟した者であれば分かるように、本考案の照明装置は撮影機能を具備せず、発光照明にのみ供されるその他の種類の照明設備とされることも可能であり、並びに本実施例に限定されるものではない。図３と図４に示されるように、本考案の第１実施例の照明装置３はケース４、照明モジュール５及び撮影モジュール６を具えている。
【００１０】
該ケース４は本体４１とカバー４２を具えている。本体４１は円筒体とされ、その一端（第１端）は開放端４１１され、もう一端は収縮されて口径が小さい開口が形成され、照明モジュール５と撮影モジュール６の導線（図示せず）を通すのに供される。本体４１の開放端４１１外周に第１ネジ部４１５が設けられてカバー４２との螺合に供され、カバー４２もまた円筒体とされてそのサイズは本体４１の開放端４１１に合わせて設けられる。カバー４２の本体４１の開放端４１１に接近する一端４２１の内側に第１ネジ部４１５と組み合わされる第２ネジ部４２６が設けられ、別端４２２の内側にスリーブリング４２３によりガラス片４２４（透光面を指す）が固定される。こうして、カバー４２が本体４１に螺合される時に密閉空間を具えた防水ケース４が形成される。
【００１１】
照明モジュール５は制御回路（駆動トランジスタ、限流抵抗等）が設けられた円形の回路板５１と該回路板５１に設置された複数の発光装置５２を具えている。回路板５１のサイズは本体４１の開放端４１１の内径より大きいが開放端４１１の外径より大きくなく、図４に示されるように、組立時に、回路板５１の外周部分が本体４１とカバー４２の間に置かれ、照明モジュール５が発生する熱がケース４との接触部分を通りケース４の大面積に伝えられて放出される。本実施例中、各発光装置５２は発光ダイオード（ＬＥＤ）とされ、並びに回路板５１の制御により作業するか否かが決定される。回路板５１がカバー４２の本体４１への螺合に伴い回転するのを防止するため、本体４１の開放端４１１の端面には位置決めロッド４１３が凸設され、並びに回路板５１の周縁の対応位置に切欠き５１１が設けられ、回路板５１が本体４１の開放端４１１の端面に置かれる時、位置決めロッド４１３と切欠き５１１の相互干渉により定位され、これによりカバー４２が本体４１に螺合される時に回路板５１がそれに伴い回転しないものとされている。このほか、回路板５１の中央を貫通する開孔５１２が設けられて撮影モジュール６のレンズ６１を通して突出させるのに用いられる。さらに照明モジュール５は光線不足時に作業して撮影モジュール６の撮影に必要な光線強度を補足する。照明装置３の取り付け位置の光線強度も変化があり、即ち時には光線強度が十分で時には光線強度が不足するが、本実施例の照明モジュール５は感光部品５３を具えて環境の光線強度を検出し、回路板５１に光線強度不足時に発光装置５２を駆動させて発光させる。
【００１２】
撮影モジュール６は制御回路を具えた回路板６２と中央に設置されたレンズ６１を具えている。本実施例中、照明モジュール５と撮影モジュール６の回路板５１、６２は更に導線（図示せず）を通して電力を受け取り画像信号を伝送する。
【００１３】
更に、本実施例では、撮影モジュール６の固定補助のために、照明装置３に固定片７が設けられている。図５に示されるように、該固定片７は本体４１の開放端４１１の内周に組み合わされる環状体である。組立時に、撮影モジュール６の回路板６２の底面（レンズ６１と相反する表面）がネジ６３で固定片７を経由して本体４１内に固定され、撮影モジュール６が固定片７で本体４１内に固定されるのみならず、撮影モジュール６作業時に発生する熱が固定片７を通して放出される。本実施例の固定片７はアルミ製とされる。更に、各種の撮影モジュール６の焦点距離は異なり、レンズ６１の長さも一致しないため、レンズ６１とガラス片４２４の間に間隔が発生して発光装置５２の発生する光線がレンズ６１内に反射、屈折されて撮影品質に影響を与えうる。このため本実施例の固定片７はアルミ押し型管を裁断して形成され、レンズ６１の長さに合わせて固定片７の厚さを例えば３ｍｍ、４ｍｍ、５ｍｍに裁断し、レンズ６１が緊密にガラス４２４に当接するものとされて光線の反射、屈折の情況が減らされ、また、回路板６２が直接セルフタッピン型のネジ６３で固定片７に固定される。また、アルミ押し型管の裁断に便利とするため、固定片７の外表面には少なくとも二つの平面７１が設けられて切削工具による挟持固定に供される。
【００１４】
本実施例の固定片７は環状体とされるが、固定片７はまたその他の形状、例えば円形片体とされ得て、本実施例に記載の構造形態に制限されない。
【００１５】
前述の構造により、図４に示されるように、組立時には、撮影モジュール６の回路板６２が撮影モジュール６に嵌合され、撮影モジュール６のレンズ６１が回路板５１の開孔５１２より引き出され、並びに本体４１の位置決めロッド４１３が回路板５１の切欠き５１１内に嵌合されて回路板５１が本体４１の端面に重ね置かれる。このほか、ガラス片４２４がカバー４２内に置かれ並びにスリーブリング４２３によりカバー４２に固定される。最後に、カバー４２が本体４１に螺合されて組立が完成し、回路板５１の外周部分がスリーブリング４２３と本体４１の端面間に挟持される。
【００１６】
こうして、本考案は、周知の技術における、照明モジュールの回路板がケースと未接触で熱量を放出させられず、内部が厚くなり、また、固定片に固定された２本の銅柱を利用して熱が銅柱を通り固定片に至り放出するだけであり、回路板はガラス繊維とされ熱伝導性が不良であり、迅速な放熱が行なえず、このため照明モジュールに熱が過度に累積して発光装置が焼損する、という問題を改善する。本実施例は作業時に最大熱量を発生する照明モジュール５の回路板５１の外周部分がケース４の本体４１とカバー４２のスリーブリング４２３間に嵌め込まれ（図４）、固定片７にネジ止めされず、これにより組立の時間、手間、材料が節約され、組立が容易な効果を達成する。このほか、回路板５１は直接ケース４１に接触し、回路板５１の熱量が放熱面積が大きく且つ効果が良好なケース４により外界に放出されるため、放熱効果が良好である効果を達成する。
【００１７】
更に、放熱効果を強化するため、図６では、照明モジュール５の発光装置を具えた回路板５１の上表面（ガラス片４２４に対向する表面）に放熱効果が良好な第１金属膜５１３が設けられ、第１金属膜５１３の配置位置は各発光装置５２の取り付け位置５１５を避けた位置とされ、第１金属膜５１３が各発光装置５２の取り付け位置５１５に接続しないものとされる。本実施例中の回路板５１には二層回路板が応用され、銅箔の回路層が第１金属膜５１３とされる。また銅箔の第１金属膜５１３は酸化され易く光線反射効果が低いため、本実施例では第１金属膜５１３の上に反射効果が良好な第２金属膜５１４が設けられる。該第２金属膜５１４の材料は錫とされ且つ配置位置は各発光装置５２の取り付け位置５１５を避けた位置とされる。これにより、回路板５１の熱エネルギーは第１金属膜５１３、第２金属膜５１４を通して迅速に平均してケース４に伝導され、周知の技術における回路板の熱伝導性不良の問題を解決する。また、図７では、回路板５１の下表面に、駆動トランジスタ、限流抵抗等の電子部品と回路配線が設けられ、電子部品と回路配線の表面の外周に絶縁層５１６が設けられて外部干渉を防止しサージによる短絡を防止する。これにより、第１金属膜５１３、第２金属膜５１４が照明モジュール５の正常な作業に影響を与えずに放熱補助機能を提供し、これにより、放熱機能が良好な機能を達成し、且つ第２金属膜５１４が発光装置５２の反射効果を高める。本実施例中、第２金属膜５１４はニッケルとされうる。
【００１８】
さらに、ケース４と照明モジュール５の間の組合せ関係は設計の必要に応じて調整され、前述の実施例に記載のものに限定されない。
【００１９】
例えば、図８は本考案の補助放熱機能を具えた照明装置３’の第２実施例を示す。この実施例では照明装置３’のケース４’の本体４１’の開放端４１１’内側に第３ネジ部４１５’が設けられ、並びに係止凸縁４１４’が照明モジュール５’の回路板５１’の係止に供され、カバー４２’の本体４１’に接近する端部表面に第３ネジ部４１５’と組み合わされる第４ネジ部４２６’が設けられ、こうして前述のカバー４２の一端４２１が本体４１に嵌合されるのとは異なり、本実施例は本体４１’の開放端４１１’がカバー４２’の一端４２１’に嵌合され、照明モジュール５’の回路板５１’が本体４１’とカバー４２’の間に挟持されて放熱補助するものとされる。このほか放熱効果を強化するため、本実施例の照明装置３’内には放熱ファン８が設置されて空気の対流を補助し、放熱効果が良好な効果を達成し、またケース４’の外表面の凹溝が形成されて放熱面積が増される。
【００２０】
更に、図９、１０は本考案の補助放熱機能を具えた照明装置３”の第３実施例を示す。この実施例では、ケース４”のカバー４２”がガラス片４２４”のスリーブリング４２３”に圧接するほか、さらに照明モジュール５”の回路板５１”に圧接するスリーブリング４２５”を具え、本体４１”のカバー４２”に近隣の端面に回路板５１”の係止に供される係止溝４１６”が形成される。組立後、回路板５１”は本体４１”とスリーブリング４２５”に挟持され、こうして、スリーブリング４２５”を利用して回路板５１”との接触面積が増され、放熱効果強化の効果が達成され、並びにスリーブリング４２３”とスリーブリング４２５”は一体に形成可能である。
【００２１】
図１１により本考案の補助放熱機能を具えた照明装置の第４実施例を説明する。第４実施例は第１実施例と類似するため、両者の同じ部分は同じ符号で代表し、説明は省略する。図１１に示される第４実施例中、撮影モジュール６の回路板６２は固定片７にネジ止めされ、並びに固定片７が本体４１内にネジ止めされる。このほか、ガラス片４２４がカバー４２内に置かれ、スリーブリング４２３によりカバー４２に固定され、並びに照明モジュール５の回路板５１がネジ５４でスリーブリング４２３に固定され、更に撮影モジュール６のレンズ６１が回路板５１の開孔５１２より引き出された後、カバー４２が本体４１に螺合される。ここにあって、照明モジュール５の導線５０がカバー４２が本体４１に螺合される過程で干渉を形成するのを防止するため、本実施例では、導線５０が十分な長さを有するものとされ、カバー４２が本体４１に螺合される前に、先に導線５０がカバー４２が本体４１に螺合される方向と反対の方向にレンズ６１に巻かれ、導線５０の巻かれる巻数とカバー４２が本体４１に螺合される時の回転数は相当するものとされる。最後に、カバー４２が本体４１に螺合されて組立が完成する。このほか螺合過程中に、照明モジュール５がカバー４２に伴い回転するため、導線５０のレンズ６１への巻き付けが解除される。本実施例は作業時に最大熱量を発生する照明モジュール５の回路板５１がスリーブリング４２３にネジ止めされ、回路板５１が直接ケース４と接触し、回路板５１の熱が放熱面積が大きく且つ放熱効果が良好なケース４より外界に放出され、放熱効果が良好である効果を達成する。
【００２２】
図１２は本考案の補助放熱機能を具えた照明装置の第５実施例を示す。第５実施例は前述の第４実施例と類似するため、両者の同じ部分は同一の符号で代表し、説明は省略する。図１２に示される第５実施例中、照明モジュール５の回路板５１のサイズは本体４１の開放端４１１（前端）の内径より大きいが、開放端４１１の外径より大きくなく、組立時に、照明モジュール５の回路板５１がネジ５４で本体４１に固定され、回路板５１が直接ケース４と接触し、照明モジュール５が発生する熱がケース４に伝えられ、放熱面積が大きく且つ放熱効果が良好なケース４より外界に放出され、放熱効果が良好である効果を達成する。
【００２３】
前述したように、本考案の補助放熱機能を具えた照明装置３、３’、３”中、作業時に最大の熱量を発生する照明モジュール５、５’、５”の回路板５１、５１’、５１”はケース４、４’、４”とカバー４２、４２’、４２”の接続部分の両方或いはそのうちの一方に接触し、照明モジュール５、５’、５”作業時の熱エネルギーがケース４、４’、４”を通して直接放出される。周知の照明装置中の照明モジュールの回路板は空気が加熱された後にケースに伝えられるか、或いは二つの銅柱を介してケースに伝えられ、熱はまた撮影モジュールに伝わって撮影モジュールを損傷したり老化させる恐れがあり、このため、発光装置の数量を増加できず、暗視効果が不良である。これにより、本実施例の照明装置３、３’、３”は確実に組立が容易で放熱効果が良好な効果を達成する。更に、照明モジュール５の回路板５１の上表面には放熱機能を有する第１金属膜５１３と反射と放熱機能を共に有する第２金属膜５１４を設置可能で、さらには固定片７、ファン８或いは凹溝を設けることで、更に放熱効果を良好とすることができる。また、本考案の放熱効果は良好で作業時に発生を許容できる熱量もまた高く、これにより発光装置５２の許容設置数量もまた周知のものより多くなり、例えば２８個を設けることができ、従来の発光装置５２の設置可能数量が有限であった問題を解決でき、大幅に許容光照射量を高めることができ、暗視効果を高めることができ、撮影画像を明晰とし、且つ更に遠くを照らすことができる。
【００２４】
以上の実施例は本考案の範囲を限定するものではなく、以上の実施例に基づきなしうる細部の修飾或いは改変は、いずれも本考案の請求範囲に属するものとする。
【図面の簡単な説明】
【００２５】
【図１】周知の照明装置の分解図である。
【図２】図１の組合せ断面図である。
【図３】本考案の補助放熱機能を具えた照明装置の第１実施例の分解断面図である。
【図４】図３の実施例の組合せ断面図である。
【図５】図３の実施例中、固定片の表示図である。
【図６】図３の実施例中、照明モジュールの正面図である。
【図７】図６の照明モジュールの背面図である。
【図８】本考案の補助放熱機能を具えた照明装置の第２実施例の組合せ断面図である。
【図９】本考案の補助放熱機能を具えた照明装置の第３実施例の組合せ断面図である。
【図１０】図９の実施例の部分分解断面図である。
【図１１】本考案の補助放熱機能を具えた照明装置の第４実施例の組合せ断面図である。
【図１２】本考案の補助放熱機能を具えた照明装置の第５実施例の組合せ断面図である。
【符号の説明】
【００２６】
３、３’、３”  照明装置
４、４’、４”  ケース
４１、４１’、４１”  本体
４１１、４１１’  開放端
４１２  別端
４１３  位置決めロッド
４１４  凸縁
４１５  第１ネジ部
４１５’  第３ネジ部
４１６”  係止溝
４２、４２’、４２”  カバー
４２１、４２１’  一端
４２２  別端
４２３、４２３’、４２３”  スリーブリング
４２４  ガラス片
４２６  第２ネジ部
４２６’  第４ネジ部
５、５’、５”  照明モジュール
５１、５１’、５１”  回路板
５１１  切欠き
５１２  開孔
５１３  第１金属膜
５１４  第２金属膜
５１５  取り付け位置
５１６  絶縁層
５２  発光装置
５３  感光部品
５４  ネジ
６  撮影モジュール
６１  レンズ
６２  回路板
６３  ネジ
７  固定片
７１  平面
８  ファン
【図１】
0003111112.tif 000003
【図２】
0003111112.tif 000004
【図３】
0003111112.tif 000005
【図４】
0003111112.tif 000006
【図５】
0003111112.tif 000007
【図６】
0003111112.tif 000008
【図７】
0003111112.tif 000009
【図８】
0003111112.tif 000010
【図９】
0003111112.tif 000011
【図１０】
0003111112.tif 000012
【図１１】
0003111112.tif 000013
【図１２】
0003111112.tif 000014